(57)【要約】【課題】胴部１０の表面のみならず、胴部１０の裏面までも、演奏に利用することの出来る三味線を提供する。【解決手段】振動膜を有する胴部１０と、天神部２１と基幹部２２を有する棹部２０と、第１糸３０を備えており、第１糸３０の一端は、天神部の第１糸止部５０に繋がり、第１糸３０の他端は、第２糸止部に繋がり、胴部１０の表面上と裏面上に第１糸３０が張設されている。【選択図】図１
2020204748.tif 000002
【特許請求の範囲】
【請求項１】
振動膜を有する胴部１０と、天神部２１と基幹部２２を有する棹部２０と、
第１糸３０を備えた三味線であって、
前記第１糸３０の一端は、前記天神部の第１糸止部５０に繋がり、
前記第１糸３０の他端は、第２糸止部に繋がり、
前記胴部１０の表面上と裏面上に前記第１糸３０が張設されていることを特徴とする三味線。
【請求項２】
振動膜を有する胴部１０と、天神部２１と基幹部２２を有する棹部２０と、
第１糸３０と第２糸３５を備えた三味線であって、
前記第１糸３０の一端は、前記天神部の第１糸止部５０に繋がり、
前記第１糸３０の他端は、第３糸止部に繋がり、
前記胴部１０の表面上に前記第１糸３０が張設されており、
前記第２糸３５の一端は、第２糸止部に繋がり、
前記第２糸３５の他端は、第４糸止部に繋がり、
前記胴部１０の裏面上に前記第２糸３５が張設されていることを特徴とする三味線。
【請求項３】
請求項１または２に記載の三味線において、
前記第２糸止部が、
前記基幹部２２に配設されていることを特徴とする三味線。
【請求項４】
請求項３に記載の三味線において、
前記第１糸止部および前記第２糸止部は、
回転部を有する糸巻装置であることを特徴とする三味線。
【請求項５】
請求項１または２に記載の三味線において、
前記第１糸止部または前記第２糸止部のうちの少なくとも一方は、
前記第１糸３０または前記第２糸３５を通す糸通孔を有していることを特徴とする三味線。
【請求項６】
請求項２に記載の三味線において、
前記第３糸止部が、
前記棹部２０に対向する対向面１１の対極にある対極面１２に配設されていることを
特徴とする三味線。
【請求項７】
請求項６に記載の三味線において、
前記棹部２０の先端部２５が前記対極面１２から突出しており、
前記第１糸３０の他端を接続する接続部材７０が、
前記先端部２５に係止されていることを特徴とする三味線。
【請求項８】
請求項１乃至７のいずれか一項に記載の三味線において、
サウンドホール１６が、前記胴部１０の裏面に設けられていることを特徴とする三味線。
【請求項９】
請求項１乃至８のいずれか一項に記載の三味線において、
駒４５が、前記胴部１０の裏面に配設されていることを特徴とする三味線。
【発明の詳細な説明】
【技術分野】
【０００１】
本発明は、三味線に関するものである。
【背景技術】
【０００２】
三味線の基本的な構造は、糸の振動が胴に伝わり、胴の内部で共鳴した音波が外部へ放射される。この構造により、演者の意図する音を奏でることが出来るようになる。
【発明の概要】
【発明が解決しようとする課題】
【０００３】
従来の三味線において、演奏することの出来る領域は、糸が張られている棹の表面と胴の表面に限られていた。その為、演奏出来る音の種類が限定されていた。
【課題を解決するための手段】
【０００４】
上記の課題を解決するために、本発明における三味線は、振動膜を有する胴部１０と、天神部２１と基幹部２２を有する棹部２０と、第１糸３０を備えており、第１糸３０の一端は、天神部の第１糸止部５０に繋がり、第１糸３０の他端は、第２糸止部に繋がり、胴部１０の表面上と裏面上に第１糸３０が張設されている。
【０００５】
または、本発明における三味線は、振動膜を有する胴部１０と、天神部２１と基幹部２２を有する棹部２０と、第１糸３０と第２糸３５を備えており、第１糸３０の一端は、天神部の第１糸止部５０に繋がり、第１糸３０の他端は、第３糸止部に繋がり、胴部１０の表面上に第１糸３０が張設されており、第２糸３５の一端は、第２糸止部に繋がり、第２糸３５の他端は、第４糸止部に繋がり、胴部１０の裏面上に第２糸３５が張設されている。
【０００６】
第２糸止部が、基幹部２２に配設されており、第１糸止部および第２糸止部は、回転部を有する糸巻装置であることが好ましい。
また、第３糸止部が、棹部２０に対向する対向面１１の対極にある対極面１２に配設されており、棹部２０の先端部２５が前記対極面１２から突出しており、第１糸３０の他端を接続する接続部材７０が、先端部２５に係止されていることが好ましい。
さらに、駒４５が、胴部１０の裏面に配設されていることが好ましい。
【発明の効果】
【０００７】
本発明によって、胴部の表面のみならず、胴部の裏面にも糸が設けられている為、胴部の裏面を利用して三味線の演奏をすることが可能になる。その結果、音の種類を増やすことが出来るようになる。
【図面の簡単な説明】
【０００８】
【図１】三味線１００の平面図
【図２】三味線１００の側面図
【図３】三味線１００Ａの側面図
【図４】三味線１００Ｂの側面図
【図５】三味線１００Ｃの側面図
【図６】三味線１００Ｄの側面図
【図７】三味線１００Ｅの平面図
【図８】三味線１００Ｅの側面図
【図９】三味線１００Ｆ及び棒状部材９０を示した側面図
【発明を実施するための形態】
【０００９】
本発明で扱う三味線は、胴部と棹部と糸を備えている。本発明における「胴部」とは、胴本体、振動膜（表皮や裏皮）等を包括した内容を意味し、「棹部」とは、後端側にある天神部、略中央部にある基幹部、先端側にある中木等を包括した内容を意味し、「糸止部」とは、広い意味で糸を三味線本体に結び付ける機能を有するものを指し、糸巻きやペグ等の糸巻装置、糸を通らせる孔（糸通孔）を包括した内容を意味し、「張設」とは、糸の端部の各々が糸止部に繋がり、三味線の胴から所望の音が出るように、糸が三味線本体に装着されている状態を意味する。本発明の三味線は、図示している形状に限定されるものではない。
【００１０】
図１は三味線１００の平面図であり、図２は三味線１００の側面図である。
図示しているように、三味線１００は、胴部１０と棹部２０と第１糸３０を具備している。
胴部１０は、振動膜である皮を備え、棹部２０に対向する対向面１１と、その対向面１１に対極する対極面１２を有している。
棹部２０は、糸巻装置５０が装着可能である天神部２１と、棹の太さが膨張している部分（鳩胸）とその近傍部分を含む基幹部２２と、胴部１０の内部にある中木２４を有している。
【００１１】
第１糸３０は、天神部２１にある第１糸止部から、胴部１０の表面・対極面・裏面を経由して、基幹部２２にある第２糸止部まで張設されている。図示している例では、第１糸止部は、糸巻装置５０（糸巻き）であり、第２糸止部は、糸巻装置６０（ペグ）である。
第１糸３０の一端が、第１糸止部に繋がり、第１糸３０の他端が、第２糸止部に繋がることで、第１糸３０の張力が生じる。
その張力は、胴部１０と棹部２０を合わせた三味線本体に対して、第１糸３０を接近させる方向に働く。
【００１２】
＜副次的効果＞
胴部１０と棹部２０との間に隙間が生じてしまうこともあるが、両端が糸止部に取り付けられた第１糸３０の張力が、胴部１０と棹部２０との隙間を埋める方向に働くことになる。つまり、第１糸３０が三味線の表面側と裏面側の両方で、胴部１０と棹部２０の間を狭める役割をする。これにより、胴部と棹部の緩みを抑えることも可能である。
【００１３】
＜サウンドホール１４＞
胴部１０の裏面（底面）には、貫通孔であるサウンドホール１４が形成されており、胴内部で共鳴した音波がサウンドホール１４を通して直接的に外部へ放射される。サウンドホールはギター等の弦楽器にも位置や形状が異なるが形成されている。後従来の三味線と同様に、後述する図４以降で示される三味線には、サウンドホールはなく、胴の裏側に皮が張られている。サウンドホール１４があることで、三味線の音の響き具合や音質を向上させることが出来る。
【００１４】
＜駒４５＞
図示しているように、第１糸３０と胴部１０の表面との間に、駒４０が配設されており、第１糸３０と胴部１０の裏面との間に、駒４５が配設されている。
駒４０と駒４５の大きさや形状を任意に設定することが可能であり、配置場所も図示している位置に限定されない。後述する図８で示すように、駒４５が複数個設けられていてもよい。反対に、図示していないが、駒４５が設けられてない場合もあり得る。
三味線を床に置いて、糸や皮を叩いて演奏する場合に、駒４５は、胴部１０の底面を床から浮かせることが出来る。これにより、サウンドホール１６から放射される音の量を調整することが可能である。
【００１５】
図３は三味線１００Ａの側面図である。
第１糸３０の一端は、第１糸止部に繋がり、第１糸３０の他端は、第３糸止部に繋がり、第２糸３５の一端は、第２糸止部に繋がり、第２糸３５の他端は、第４糸止部に繋がっている。図示しているように、三味線の表面側と裏面側で、糸は第１糸３０と第２糸３５に分かれており、胴部１０の表面側に第１糸３０が張設され、胴部１０の裏面側に第２糸３５が張設されている。
第３糸止部は、糸通孔１４によって構成され、第４糸止部は、糸通孔１５によって構成されており、糸通孔１４と糸通孔１５は、それぞれ胴部１０の対極面１２に形成されている。
ここでは、糸巻装置６０が、鳩胸２６の斜面に沿ってほぼ等間隔で配設されている。
【００１６】
図４は三味線１００Ｂの側面図である。
第１糸３０の一端は、第１糸止部に繋がり、第１糸３０の他端は、第３糸止部に繋がり、第２糸３５の一端は、第２糸止部に繋がり、第２糸３５の他端は、第４糸止部に繋がっている。図示しているように、中木２４の先端部２５が、胴部１０の対極面１２よりも外側に突出している。この第３糸止部は、中木２４の先端部２５と、接続部材７０とによって構成されている。
この接続部材７０は、従来の三味線における音緒に相当するものであり、第１糸３０を結び付けることが出来る。
また、胴部１０の裏側には、振動膜として裏皮が固着されており、この裏皮と第１糸３０の間に、駒４０を取り付けることが出来る。中木２４の先端部２５を、第４糸止部の構成の一つとして利用することも可能である。
【００１７】
図５は三味線１００Ｃの側面図である。
第１糸３０の一端は、第１糸止部に繋がり、第１糸３０の他端は、第２糸止部に繋がっている。この第２糸止部は、棹部２０の基幹部２２に形成された糸通孔２３であり、この糸通孔２３は、棹部２０と略平行に設けられている。
第１糸３０の他端と繋がる第２糸止部は、必ずしも棹部２０自体に設ける必要は無く、後述するように胴部１０に設けることも可能である。
【００１８】
図６は三味線１００Ｄの側面図である。
第１糸３０の一端は、第１糸止部に繋がり、第１糸３０の他端は、第２糸止部に繋がっている。この第２糸止部は、胴部１０の対向面１１に形成された糸通孔１３である。
糸通孔１３は第１糸３０を挿通することが可能であり、かた結び等により他端の先端部が結ばれている第１糸３０は、この糸通孔１３の端部に止められている。
【００１９】
図７は三味線１００Ｅの平面図であり、図８は三味線１００Ｅの側面図である。
第１糸３０の一端は、第１糸止部に繋がり、第１糸３０の他端は、第２糸止部に繋がっている。この第２糸止部は、棹部２０の基幹部２２に形成された糸通孔２３であり、この糸通孔２３は、棹部２０の側面に設けられている。
このままであると、第１糸３０の端部が外部に見えてしまうので、補助部材８０を取り付けると、外観を綺麗に見せることが出来る。この補助部材８０は、ネジ８５によって棹部２０に螺設されている。取り付け方法は、この方法に限定されず、ボンド等の接着剤によって棹部２０に固着してもよい。
駒４５が２個配設されている。駒４５が複数設けられていることで、三味線を安定的に床に配置することが出来る。また、第２糸３５と胴部１０の裏面との間に駒４５が配設されていれば、糸の張力により駒４５が三味線から脱落することを防ぐことが出来る。
【００２０】
図９は三味線１００Ｆ及び棒状部材９０を示した側面図である。
第１糸３０の一端は、第１糸止部に繋がり、第１糸３０の他端は、第２糸止部に繋がっている。図示しているように、第１糸止部は糸巻装置５０（ペグ）であり、第２糸止部は糸巻装置６０（ペグ）である。
糸巻装置５０のギア−の大きさと、糸巻装置６０のギア−の大きさを同一にすると、同じ比率（同一ギア比）で調弦をすることが出来る。糸巻装置５０のギア−の大きさと、糸巻装置６０ギア−の大きさに大小の変化を付けると、異なる比率（同一ギア比）で調弦をすることが出来る。
糸巻装置５０のギア−の大きさと、糸巻装置６０のギア−の大きさの比率を４：１、３：１、２：１、１：２、１：３、１：４などに設計することで、演奏中でも素早く調弦することが可能になり、効率的に調弦をすることが出来る。
また、胴部１０の対極面１２の角部を保護する保護部材９５が設けられている。この保護部材９５により、胴部１０が第１糸３０または第２糸３５により傷付くことを防ぎ、三味線の耐久性を高めることが出来る。
【００２１】
＜第２糸３５を胴部１０の側面に配設＞
図示していないが、第２糸３５を胴部１０の側面に配設させることも可能である。胴部１０の側面に第２糸３５があることで、第２糸３５を弾いて演奏することが容易になる。
【００２２】
＜棒状部材９０＞
棒状部材９０を用いて、胴部１０の表面に張設された糸、または胴部１０の裏面に張設された糸を叩くことで、糸の振動を胴部１０の皮に伝えて、胴部１０を響かせることが出来る。
棒状部材９０は、略円柱または略角柱であり、長手方向に垂直な断面形状が、長手方向でほぼ同じになる。
勿論、太鼓用の棒状のバチを、この棒状部材９０として利用することも可能である。
この棒状部材９０で、胴部１０の表面の皮、または胴部１０の裏面の皮を叩いて、太鼓のように演奏することも出来る。
【００２３】
＜振動の伝達＞
本発明の三味線では、胴部１０の裏面側に駒４５が設けられていない場合もある。その場合には、胴部１０の裏皮と第２糸３５が相当に接近するようになる。第１糸３０を弾いた際に、駒４０を介して、その振動が、胴部１０の表皮に伝わり、その表皮の振動が胴部１０の内部で共鳴する。そして、その振動が胴部１０の裏皮にも伝わり、さらに、裏皮に接近している第２糸３５にも伝わってくる。この第２糸３５の振動が、胴部１０内部の音響に影響を及ぼし、様々な楽音が生成される。このような構造から、重層的な音を生み出すことが可能となる。
【００２４】
＜素材＞
胴部１０や棹部２０の素材は、木材、段ボール、薄板、プラスチック、紙などを利用することが可能であり、駒４０や駒４５の素材は、木材、セラミック、合成樹脂、プラスチック、合金、ステンレス鋼、金、銀、銅、アルミ、真鍮、チタン等の各種金属などを利用することが可能である。
【符号の説明】
【００２５】
１０…胴部
１１…対向面
１２…対極面
１３…糸通孔（第２糸止部）
１４…糸通孔（第３糸止部）
１５…糸通孔（第４糸止部）
１６…サウンドホール
２０…棹部
２１…天神部
２２…基幹部
２３…糸通孔（第２糸止部）
２４…中木
２５…先端部
２６…鳩胸
３０…第１糸
３５…第２糸
４０…駒
４５…駒
５０…糸巻装置（第１糸止部）
５１…回転部
５２…操作部
６０…糸巻装置（第２糸止部）
６１…回転部
７０…接続部材（第３糸止部）
７５…保護部材
８０…補助部材
８５…ネジ
９０…棒状部材
９１…先端部
９５…保護部材
【図１】
2020204748.tif 000003
【図２】
2020204748.tif 000004
【図３】
2020204748.tif 000005
【図４】
2020204748.tif 000006
【図５】
2020204748.tif 000007
【図６】
2020204748.tif 000008
【図７】
2020204748.tif 000009
【図８】
2020204748.tif 000010
【図９】
2020204748.tif 000011